(57)【特許請求の範囲】
【請求項１】
上方を開口しているカップ本体(1)と、このカップ本体(1)の開口部(1A)に脱着自在に連結されて、カップ本体(1)の開口部(1A)を閉塞する蓋体(2)とを備え、
前記蓋体(2)が、破断できる棒状の容器に砂糖又は合成甘味料を入れてなるスティック砂糖(3)と、コーヒーまたは紅茶をかき混ぜる棒状のかき混ぜ棒(4)とを脱着自在に案内する挿入溝(6)と、鍔状のシール面(21A)に付着しているシール材(22)が剥離されて充填しているミルクまたは果汁が排出される充填カップ(5)を係止構造で脱着自在に連結する充填カップ(5)の係止部(7)とを有し、
前記充填カップ(5)が、ミルクまたは果汁を充填している収納凹部(20)の開口縁に沿って、外側に突出する鍔状外周縁(21)を有し、この鍔状外周縁(21)の表面をシール面(21A)として、シール面(21A)にシール材(22)を付着しており、
前記係止部(7)が、前記充填カップ(5)の鍔状外周縁(21)を両側から挟む状態で引っ掛けて係止する一対のアンダーカット係止部(7A)を有し、
一対のアンダーカット係止部(7A)に係止される前記充填カップ(5)が、前記挿入溝(6)に案内してなる前記スティック砂糖(3)とかき混ぜ棒(4)とをカバーして、蓋体(2)から外れない状態に保持するようにしており、
前記挿入溝(6)にスティック砂糖(3)とかき混ぜ棒(4)とが案内され、前記アンダーカット係止部(7A)に充填カップ(5)が係止されて、スティック砂糖(3)とかき混ぜ棒(4)と充填カップ(5)とが脱着できるように蓋体(2)に連結できるようにしてなることを特徴とする蓋付きのコーヒーまたは紅茶カップ。
【請求項２】
前記アンダーカット係止部(7A)に係止される充填カップ(5)が、切り欠きライン(24)を設けている先端部に向かって先細り状となっている鍔状外周縁(21)のテーパー突出部(23)を有し、
このテーパー突出部(23)が蓋体(2)の中心に向く姿勢として、前記アンダーカット係止部(7A)でもって前記充填カップ(5)を蓋体(2)に係止し、係止される充填カップ(5)がテーパー突出部(23)側の上面でもって、挿入溝(6)に案内しているスティック砂糖(3)とかき混ぜ棒(4)とをカバーして蓋体(2)に保持できるようにしてなる請求項１に記載される蓋付きのコーヒーまたは紅茶カップ。
【請求項３】
前記蓋体(2)が、真空成形された熱可塑性樹脂のプラスチックシートである請求項１又は２に記載される蓋付きのコーヒーまたは紅茶カップ。
【請求項４】
前記蓋体(2)に、スティック砂糖(3)とかき混ぜ棒(4)とを案内するひとつの挿入溝(6)を有し、ひとつの挿入溝(6)に前記スティック砂糖(3)とかき混ぜ棒(4)とが案内されてなる請求項１ないし３のいずれかに記載される蓋付きのコーヒーまたは紅茶カップ。
【請求項５】
前記蓋体(2)に、スティック砂糖(3)を案内する挿入溝(6)と、かき混ぜ棒(4)を案内する挿入溝(6)とを設けている請求項１ないし３のいずれかに記載される蓋付きのコーヒーまたは紅茶カップ。
【請求項６】
前記挿入溝(6)が、前記かき混ぜ棒(4)を係止構造で連結するかき混ぜ棒係止部(14)を有し、このかき混ぜ棒係止部(14)に係止されるかき混ぜ棒(4)が、スティック砂糖(3)を挿入溝(6)に外れない状態に連結する請求項４に記載される蓋付きのコーヒーまたは紅茶カップ。
【発明の詳細な説明】
【技術分野】
【０００１】
本発明は、コーヒーショップからテイクアウトされるのに最適なコーヒーカップに関し、とくに、コーヒーにミルクや砂糖を一緒に連結してテイクアウトできる蓋付きのコーヒーカップに関する。
本明細書において、「コーヒーカップ」は、コーヒーのみでなく紅茶を入れるカップをも含む意味に使用する。
【背景技術】
【０００２】
コーヒーを充填しているコーヒーカップは、コーヒーショップにおいて砂糖やミルクが一緒にテイクアウトされる。従来は、コーヒーを充填しているコーヒーカップと、砂糖やミルクを別々の袋に入れ、あるいは一緒の袋に入れてテイクアウトしている。しかしながら、この状態では砂糖やミルクの持ち運びに手間がかかる欠点がある。この欠点を解消するために、砂糖やミルクをコーヒーカップに連結して一緒にテイクアウトできるコーヒーカップが開発されている。（特許文献１及び２参照）
【先行技術文献】
【特許文献】
【０００３】
【特許文献１】特開２００３−２３７７８６号公報
【特許文献２】特開平９−２５１６号公報
【発明の概要】
【発明が解決しようとする課題】
【０００４】
特許文献１のコーヒーカップは、カップ本体の上部に、砂糖とミルクを入れる収納部を設けている。このコーヒーカップは、砂糖やミルクの収納部の底板を、ストローあるいは掻き混ぜスチィック（混ぜ棒）などで容易に突き破れる材料、たとえばアルミ箔とし、これを突き破って砂糖やミルクをコーヒーに混ぜて、飲み口から飲むようにしている。このコーヒーカップは、市販のスティック砂糖や、コーヒーフレッシュや、コーヒー用ミルクとして多く市販されている、小型カップのポーション入りミルクを使用できないので、テイクアウトに使用するときには、砂糖やミルクを収納部に入れるのに手間がかかる欠点がある。とくに、砂糖やミルクを入れて収納部を密閉するには、さらに手間がかかる欠点がある。収納部を設けたカップ本体の飲み口からコーヒーを飲むので、飲むときに収納部が開口部にあって邪魔になる欠点もある。
【０００５】
特許文献２のコーヒーカップは、容器の蓋体に、ミルク等の添加物を入れる、開口可能な密閉収容部を設けている。このコーヒーカップは、あらかじめ食品工場などで、蓋体の収容部に、ミルクを充填し、密閉した後、使用先に運搬する必要がある。このため、このコーヒーカップも、市販のポーション入りミルクを使用できない欠点がある。また、砂糖やかき混ぜ棒を一緒に連結できない欠点もある。
【０００６】
本発明は、以上の欠点を解決することを目的に開発されたものである。本発明の重要な目的は、市販のスティック砂糖やポーション入りミルクをそのままの状態で、簡単かつ容易に、しかも確実に外れないように蓋体に連結でき、さらに、かき混ぜ棒も一緒に蓋体に連結して、飲むときには、これ等を蓋体から外して、砂糖とミルクをカップ本体のコーヒーに混ぜて、従来のコーヒーカップと同じように飲むことができる蓋付きのコーヒーカップを提供することにある。
【０００７】
ところで、本明細書において、充填カップやかき混ぜ棒を「外れないように蓋体に係止する」とは、ユーザーが外さない限り、充填カップやかき混ぜ棒が外れない状態を意味するものであって、ユーザーが外そうとしても外れない状態を意味するのではない。
【課題を解決するための手段及び発明の効果】
【０００８】
本発明の蓋付きのコーヒーカップは、上方を開口しているカップ本体１と、このカップ本体１の開口部１Ａに脱着自在に連結されて、カップ本体１の開口部１Ａを閉塞する蓋体２とを備える。蓋体２は、破断できる棒状の容器に砂糖又は合成甘味料を入れてなるスティック砂糖３と、コーヒーまたは紅茶をかき混ぜる棒状のかき混ぜ棒４とを脱着自在に案内する挿入溝６と、鍔状のシール面２１Ａに付着しているシール材２２が剥離されて充填しているミルクまたは果汁が排出される充填カップ５を係止構造で脱着自在に連結する充填カップ５の係止部７とを有する。充填カップ５は、ミルクまたは果汁を充填している収納凹部２０の開口縁に沿って、外側に突出する鍔状外周縁２１を有し、この鍔状外周縁２１の表面をシール面２１Ａとして、シール面２１Ａにシール材２２を付着している。蓋体２の係止部７は、充填カップ５の鍔状外周縁２１を両側から挟む状態で引っ掛けて係止する一対のアンダーカット係止部７Ａを有する。一対のアンダーカット係止部７Ａに係止される充填カップ５が、挿入溝６に案内してなるスティック砂糖３とかき混ぜ棒４とをカバーして、蓋体２から外れない状態に保持するようにしている。蓋付きのコーヒーカップは、挿入溝６にスティック砂糖３とかき混ぜ棒４とを案内し、アンダーカット係止部７Ａに充填カップ５を係止して、スティック砂糖３とかき混ぜ棒４と充填カップ５とを脱着できるように蓋体２に連結できるようにしている。
【０００９】
以上の蓋付きのコーヒーカップは、市販のスティック砂糖や充填カップをそのままの状態で使用しながら、簡単かつ容易に、しかも確実に外れないように蓋体に連結できる。さらに、かき混ぜ棒も充填カップでもって一緒に蓋体に連結できる。とくに、以上の蓋付きのコーヒーカップは、充填カップを蓋体に連結して、この充填カップでもって、スティック砂糖とかき混ぜ棒とをカバーして外れないように連結するので、スティック砂糖とかき混ぜ棒とを外れないように蓋体に連結できる。さらに、以上の蓋付きのコーヒーカップは、一対のアンダーカット係止部でもって、充填カップの鍔状外周縁を両側から挟むように係止して、これを外れないように蓋体に連結するので、充填カップを確実に外れないように蓋体に連結でき、また、外れない充填カップでもって、スティック砂糖とかき混ぜ棒の両方を外れないように蓋体に連結できる特徴がある。さらにまた、コーヒーまたは紅茶を飲むときには、充填カップを蓋体から外し、スティック砂糖とかき混ぜ棒と外して、砂糖とミルクまたは果汁をカップ本体のコーヒーまたは紅茶に入れて、かき混ぜ棒で混ぜることで、従来のコーヒーカップと同じようにして飲むことができる。
【００１０】
本発明の蓋付きのコーヒーカップは、アンダーカット係止部７Ａに係止される充填カップ５が、切り欠きライン２４を設けている先端部に向かって先細り状となっている鍔状外周縁２１のテーパー突出部２３を有し、このテーパー突出部２３を蓋体２の中心に向く姿勢として、アンダーカット係止部７Ａで充填カップ５を蓋体２に係止し、係止される充填カップ５のテーパー突出部２３側の上面でもって、挿入溝６に案内しているスティック砂糖３とかき混ぜ棒４とをカバーして蓋体２に保持する構造とすることができる。
【００１１】
以上の蓋付きのコーヒーカップは、充填カップのテーパー突出部を蓋体の外側に突出させることなく、テーパー突出部側の上面でもって、スティック砂糖とかき混ぜ棒とを確実に抜けないように蓋体に保持できる特徴がある。
【００１２】
本発明の蓋付きのコーヒーカップは、蓋体２を、真空成形された熱可塑性樹脂のプラスチックシートとすることができる。
この蓋付きのコーヒーカップは、蓋体を安価に多量生産しながら、充填カップとスティック砂糖とかき混ぜ棒とを確実に連結できる特徴がある。
【００１３】
本発明の蓋付きのコーヒーカップは、蓋体２に、スティック砂糖３とかき混ぜ棒４とを案内するひとつの挿入溝６を設け、ひとつの挿入溝６にスティック砂糖３とかき混ぜ棒４とを案内する構造にできる。
この構造の蓋付きのコーヒーカップは、蓋体を簡単な形状に成形して、スティック砂糖とかき混ぜ棒とを連結できる特徴がある。
【００１４】
本発明の蓋付きのコーヒーカップは、蓋体２に、スティック砂糖３を案内する挿入溝６と、かき混ぜ棒４を案内する挿入溝６とを設けることができる。
この構造の蓋付きのコーヒーカップは、スティック砂糖とかき混ぜ棒とを別々の挿入溝に入れて、充填カップで抜けないように保持して、確実に連結できる特徴がある。また、スティック砂糖を必要としないユーザーが、かき混ぜ棒のみを挿入溝に入れて確実に連結できる。
【００１５】
さらに、本発明の蓋付きのコーヒーカップは、挿入溝６に、かき混ぜ棒４を係止構造で連結するかき混ぜ棒係止部１４を設け、このかき混ぜ棒係止部１４に係止されるかき混ぜ棒４でもって、スティック砂糖３を挿入溝６に外れない状態に連結することができる。
【００１６】
以上の蓋付きのコーヒーカップは、スティック砂糖とかき混ぜ棒とをかき混ぜ棒係止部で蓋体に外れないように連結し、さらに、スティック砂糖とかき混ぜ棒とを、充填カップでカバーして外れないように連結するので、スティック砂糖とかき混ぜ棒とをより確実に外れないように蓋体に連結できる特徴がある。また、充填カップを使用しない状態で、スティック砂糖とかき混ぜ棒とを蓋体に連結することもできる。さらにまた、スティック砂糖を必要としないユーザーが、かき混ぜ棒をかき混ぜ棒係止部で外れないように蓋体に連結できる。
【図面の簡単な説明】
【００１７】
【図１】本発明の一実施例にかかる蓋付きのコーヒーカップにスティック砂糖とかき混ぜ棒と充填カップをセットした状態を示す斜視図である。
【図２】図１に示す蓋付きのコーヒーカップの分解斜視図である。
【図３】図１に示す蓋付きのコーヒーカップの垂直断面図である。
【図４】図１に示す蓋付きのコーヒーカップの正面図である。
【図５】蓋体の平面図である。
【図６】図５に示す蓋体にスティック砂糖とかき混ぜ棒と充填カップをセットした状態を示す平面図である。
【図７】充填カップの分解斜視図である
【図８】本発明の他の実施例にかかる蓋付きのコーヒーカップにスティック砂糖とかき混ぜ棒と充填カップをセットした状態を示す斜視図である。
【図９】本発明の他の実施例にかかる蓋付きのコーヒーカップにスティック砂糖とかき混ぜ棒と充填カップをセットした状態を示す斜視図である。
【発明を実施するための形態】
【００１８】
以下、本発明の実施例を図面に基づいて説明する。ただし、以下に示す実施例は、本発明の技術思想を具体化するための蓋付きのコーヒーカップを例示するものであって、本発明は蓋付きのコーヒーカップを以下のものに特定しない。さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１９】
図１ないし図６に示す蓋付きのコーヒーカップは、上方を開口しているカップ本体１と、このカップ本体１の開口部に脱着自在に連結されて、カップ本体１の開口部１Ａを閉塞する蓋体２とを備える。
【００２０】
カップ本体１は紙製で、上方に向かって水平断面積を大きくする筒状として、底を閉塞して上方を開口している。カップ本体１の上端縁は、紙を外側に湾曲するように加工して、リング状補強部１Ｂを設けている。
【００２１】
蓋体２は、プラスチックシートを真空成形して、外周縁に沿って、カップ本体１に脱着自在に連結される周壁１１を設けている。周壁１１は、内面にリング溝１２を設けている。リング溝１２には、カップ本体１のリング状補強部１Ｂが案内されて、蓋体２を、脱着はできるが、ユーザーが外さない限り外れないようにカップ本体１に連結している。
【００２２】
さらに、蓋体２は周壁１１から上方に突出する突出部８を設けて、この突出部８には、スティック砂糖３とかき混ぜ棒４とを案内する挿入溝６と、充填カップ５を係止状態で連結する係止部７とを設けている。
【００２３】
スティック砂糖３は、細長い棒状の紙容器に、砂糖又は合成甘味料を入れたもので、既に多く市販されているものである。かき混ぜ棒４は、コーヒーや紅茶をかき混ぜる棒状にプラスチックを成形したもので、図２に示すかき混ぜ棒４は、先端部には、横幅を広くしているかき混ぜ部４Ａを設けて、後端部にはユーザーが握り易いようにグリップ部４Ｂを設けている。
【００２４】
充填カップ５は、図７に示すように、プラスチック製の小型カップであるポーションに、ミルクや果汁を入れて開口部をシールしたものである。この充填カップ５は、既に多く市販されているもので、コーヒーフレッシュやコーヒー用ミルクと呼ばれる、ポーションにミルクを充填したもの、あるいは、紅茶に添加される果汁としてレモン果汁等の果汁をポーションに充填したものである。この充填カップ５は、鍔状のシール面２１Ａに付着しているシール材２２を剥離して充填しているミルクや果汁等の内容物を排出するもので、ミルクや果汁を充填している収納凹部２０の開口縁に沿って、外側に突出する鍔状外周縁２１があり、この鍔状外周縁２１の表面をシール面２１Ａとして、このシール面２１Ａにシール材２２を付着したものである。さらに、この充填カップ５は、図７に示すように、鍔状外周縁２１に、切り欠きライン２４を設けている先端部に向かって先細り状とするテーパー突出部２３を設けている。この充填カップ５は、テーパー突出部２３を設けて、ミルクや果汁を充填している収納凹部２０から切り欠きライン２４を外側に離して、ユーザーが切り欠きライン２４を簡単に折曲して、ミルクや果汁等の内容物を排出しやすくしている。
【００２５】
蓋体２は、突出部８にスティック砂糖３とかき混ぜ棒４の挿入溝６を設けている。図５の蓋体２は、この図において突出部８の下部に、横方向に延びる挿入溝６を設けている。挿入溝６は、スティック砂糖３とかき混ぜ棒４を重ねて案内できる深さとしている。挿入溝６は、図１ないし図３に示すように、スティック砂糖３を下に、かき混ぜ棒４を上に重ねて案内できる深さに成形している。
【００２６】
図１ないし図４の蓋体２は、上下を反転した充填カップ５のテーパー突出部２３を蓋体２の中心に向ける姿勢として、係止部７でもって充填カップ５を蓋体２に係止して、係止される充填カップ５のテーパー突出部２３側の上面でもって、挿入溝６に案内しているスティック砂糖３とかき混ぜ棒４とをカバーして蓋体２に保持している。係止部７は、鍔状外周縁２１を両側から挟んで抜けないように係止するために、一対のアンダーカット係止部７Ａを有している。一対のアンダーカット係止部７Ａは、アンダーカット形状、すなわち先端に向かって対向幅を狭くする形状としている。
【００２７】
以上の状態で、充填カップ５を係止する図５の蓋体２は、挿入溝６を境界として、突出部８を第１突出部８Ａと第２突出部８Ｂとに区画している。図５において挿入溝６の下側を第１突出部８Ａ、挿入溝６の上側を第２突出部８Ｂとしている。第１突出部８Ａの両側部には、充填カップ５の係止部７を設けるために一対の係止凸部１０を設けて、一対の係止凸部１０の内側面にアンダーカット係止部７Ａを設けている。第１突出部８Ａの中央部は、上面を平面状として、この平面部に、上下を反転した姿勢で配置される充填カップ５の上面を添わせ、充填カップ５の鍔状外周縁２１の両側をアンダーカット係止部７Ａに引っ掛けて、充填カップ５を蓋体２に係止している。一対の係止凸部１０は、対向面をアンダーカット形状に成形して、アンダーカット係止部７Ａとしている。
【００２８】
蓋体２の第２突出部８Ｂは、図２、図５、及び図６に示すように、充填カップ５のテーパー突出部２３を蓋体２の中心に向ける姿勢として、充填カップ５をアンダーカット係止部７Ａに係止できるように、充填カップ５のテーパー突出部２３の一部を案内するテーパー状の挿入凹部１３を上面に設けている。この蓋体２は、アンダーカット係止部７Ａでもって、充填カップ５の鍔状外周縁２１の両側を挟着状態で係止して、テーパー突出部２３を挿入凹部１３に案内して、充填カップ５のテーパー突出部２３側の上面で、挿入溝６のスティック砂糖３とかき混ぜ棒４の上をカバーする。図５と図６の蓋体２に設けている一対のアンダーカット係止部７Ａは、ほぼ円形である鍔状外周縁２１の両側を、直径方向に挟着する状態で係止して、充填カップ５を確実に安定して、蓋体２に係止する。とくに、係止部７は、図６に示すように、平面視において、対向するアンダーカット係止部７Ａを中央凹となる形状としており、対向する凹部の底面の間隔を、鍔状外周縁２１の直径とほぼ等しくし、あるいはやや大きくしている。この構造は、円形である鍔状外周縁２１の直径部分の両側を、中央凹の凹部に案内する状態で挟着状態に係止して、鍔状外周縁２１を確実に抜けないように係止できる。
【００２９】
さらに、図５の蓋体２は、充填カップ５を使用しない状態で、スティック砂糖３とかき混ぜ棒４とを蓋体２に係止できるように、かき混ぜ棒４を蓋体２の突出部８に係止するかき混ぜ棒係止部１４を設けている。この蓋体２は、スティック砂糖３の上に配置しているかき混ぜ棒４を係止して、かき混ぜ棒４でもって、スティック砂糖３を蓋体２に外れないように係止する。かき混ぜ棒４は、スティック砂糖３に対して交差する姿勢で蓋体２の突出部８に係止される。蓋体２は、図５において、第２突出部８Ｂの左端部であって、挿入溝６の近傍にかき混ぜ棒係止部１４を設けている。かき混ぜ棒係止部１４は、かき混ぜ棒４を案内する案内溝１５の両側、または一方の対向面をアンダーカット形状として実現している。図５の案内溝１５は、挿入溝６に対して交差する姿勢に設けられて、ここに案内されるかき混ぜ棒４でもって、スティック砂糖３を挿入溝６から抜けないように保持する。さらに、案内溝１５に案内されて、ここに係止されるかき混ぜ棒４は、第１突出部８Ａに設けている係止凸部１０に押圧されて、より確実に係止できる。それは、案内溝１５と第１突出部８Ａの係止凸部１０とが、かき混ぜ棒４の離れた２カ所を押圧して、蓋体２に係止できるからである。図５と図６に示す蓋体２は、挿入溝６の右側の開口部であって、第１突出部８Ａの右側の側縁部に、かき混ぜ棒４の右側の端部を係止する係止凹部を設けている。この蓋体は、図６に示すように、かき混ぜ棒４の左側端部を案内溝１５に案内してかき混ぜ棒係止部１４で保持すると共に、かき混ぜ棒４の右側端部を係止凹部１６に係止させて、かき混ぜ棒４を確実に保持できる。
【００３０】
以上の蓋体２は、かき混ぜ棒４を蓋体２に係止して、かき混ぜ棒４でスティック砂糖３を抜けないように蓋体２に保持するが、かき混ぜ棒４を蓋体２に係止することなく、スティック砂糖３とかき混ぜ棒４の両方を充填カップ５で抜けないように蓋体２に保持することもできる。
【００３１】
さらに、図１ないし図６の蓋体２は、スティック砂糖３とかき混ぜ棒４の一部とを同じ挿入溝６に案内するが、蓋体２は、図８に示すように、スティック砂糖３とかき混ぜ棒４の全体とをひとつの挿入溝６に案内する形状とすることができる。この蓋体２は、かき混ぜ棒４を係止する案内溝１５やかき混ぜ棒係止部１４を設けることなく、１つの挿入溝６にスティック砂糖３とかき混ぜ棒４とを配置して充填カップ５で抜けないように保持する。また、蓋体２は、図９に示すように、スティック砂糖３とかき混ぜ棒４とを別々に設けた挿入溝６、６に案内して、充填カップ５で抜けないように保持することができる。この蓋体２は、かき混ぜ棒４を案内する挿入部６と、かき混ぜ棒４を案内する挿入部６とを、それぞれ最適な形状に成形することで、スティック砂糖３とかき混ぜ棒４とを抜けないように保持できる。
【００３２】
以上の実施例では、蓋付きのコーヒーカップの蓋体２に、スティック砂糖３とかき混ぜ棒４の両方をセットする状態を示しているが、蓋体には、必ずしもスティック砂糖をセットする必要はない。例えば、コーヒーや紅茶に砂糖や甘味料を入れないユーザーは、スティック砂糖を必要としないため、蓋体の挿入溝にはスティック砂糖をセットしない。ただ、砂糖や甘味料は入れないがミルクや果汁を添加するユーザーは、ミルクや果汁が充填された充填カップとかき混ぜ棒が必要となり、蓋体には、かき混ぜ棒と充填カップとをセットする。したがって、このような場合には、挿入溝にかき混ぜ棒のみを案内して、充填カップで抜けないように保持することができる。
【符号の説明】
【００３３】
１…カップ本体              １Ａ…開口部
１Ｂ…リング状補強部
２…蓋体
３…スティック砂糖
４…かき混ぜ棒              ４Ａ…かき混ぜ部
４Ｂ…グリップ部
５…充填カップ
６…挿入溝
７…係止部                  ７Ａ…アンダーカット係止部
８…突出部                  ８Ａ…第１突出部
８Ｂ…第２突出部
１０…係止凸部
１１…周壁
１２…リング溝
１３…挿入凹部
１４…かき混ぜ棒係止部
１５…案内溝
１６…係止凹部
２０…収納凹部
２１…鍔状外周縁            ２１Ａ…シール面
２２…シール材
２３…テーパー突出部
２４…切り欠きライン
【図１】
0005841829.tif 000002
【図２】
0005841829.tif 000003
【図３】
0005841829.tif 000004
【図４】
0005841829.tif 000005
【図５】
0005841829.tif 000006
【図６】
0005841829.tif 000007
【図７】
0005841829.tif 000008
【図８】
0005841829.tif 000009
【図９】
0005841829.tif 000010